(57)【特許請求の範囲】
【請求項１】
複数の行電極対と、前記行電極に交差して互いに平行に配列された複数の列電極と、前記行電極対に行電極駆動パルスを供給する第１駆動手段と、前記列電極に画素データパルスを供給する第２駆動手段を少なくとも備えたプラズマディスプレイパネルの駆動装置であって、
異なる電極に印加される前記行電極駆動パルスの立ち上がり及び／又は立ち下がりエッジのタイミング又は期間を調整するタイミング調整手段を設け、
前記タイミング調整手段は、前記行電極対Ｘ，Ｙに交互に印加される放電維持パルスＩＰｘ，ＩＰｙに対して、放電維持パルスＩＰｘの立ち下がり期間と放電維持パルスＩＰｙの立ち上がり期間とを一致させる共に放電維持パルスＩＰｘの立ち上がり期間と放電維持パルスＩＰｙの立ち下がり期間とを一致させることを特徴とするプラズマディスプレイパネルの駆動装置。
【請求項２】
複数の行電極対と、前記行電極に交差して互いに平行に配列された複数の列電極と、前記行電極対に行電極駆動パルスを供給する第１駆動手段と、前記列電極に画素データパルスを供給する第２駆動手段を少なくとも備えたプラズマディスプレイパネルの駆動装置であって、
異なる電極に印加される前記行電極駆動パルスの立ち上がり及び／又は立ち下がりエッジのタイミング又は期間を調整するタイミング調整手段を設け、
前記タイミング調整手段は、前記行電極対Ｘ，Ｙに交互に印加される放電維持パルスＩＰｘ，ＩＰｙに対して、放電維持パルスＩＰｘの立ち下がり期間と放電維持パルスＩＰｙの立ち上がり期間、放電維持パルスＩＰｘの立ち上がり期間と放電維持パルスＩＰｙの立ち下がり期間の一部が時間的に重なるように放電維持パルスの印加タイミングを調整することを特徴とするプラズマディスプレイパネルの駆動装置。
【請求項３】
複数の行電極対と、前記行電極に交差して互いに平行に配列された複数の列電極と、前記行電極対に行電極駆動パルスを供給する第１駆動手段と、前記列電極に画素データパルスを供給する第２駆動手段を少なくとも備えたプラズマディスプレイパネルの駆動装置であって、
異なる電極に印加される前記行電極駆動パルスの立ち上がり及び／又は立ち下がりエッジのタイミング又は期間を調整するタイミング調整手段を設け、
前記タイミング調整手段は、前記行電極対Ｘ，Ｙに交互に印加される放電維持パルスＩＰｘ，ＩＰｙに対して、一方の放電維持パルスＩＰｘ又はＩＰｙの立ち下がり終了と同時に他方の放電維持パルスＩＰｙ又はＩＰｘが立ち上がるように設定されるか、又は、一方の放電維持パルスＩＰｙ又はＩＰｘの立ち上り終了と同時に他方の放電維持パルスＩＰｘ又はＩＰｙが立ち下がるように設定されることを特徴とするプラズマディスプレイパネルの駆動装置。
【請求項４】
複数の行電極対と、前記行電極に交差して互いに平行に配列された複数の列電極と、を少なくとも備え、前記行電極対に全画素を一斉に初期化するためのリセットパルスを印加するリセット期間と、前記行電極対の一方に走査パルスを印加すると共に前記列電極に画素データパルスを印加して点灯画素及び消灯画素を選択するアドレス期間と、前記行電極対に放電維持パルスを印加して前記点灯画素及び消灯画素を維持する維持放電期間と、を用いて表示を行うプラズマディスプレイパネルの駆動装置であって、
異なる電極に印加される前記行電極駆動パルスの立ち上がり及び／又は立ち下がりエッジのタイミング又は期間を調整するタイミング調整手段を設け、
前記タイミング調整手段は、前記行電極対Ｘ，Ｙに交互に印加される放電維持パルスＩＰｘ，ＩＰｙに対して、放電維持パルスＩＰｘの立ち下がり期間と放電維持パルスＩＰｙの立ち上がり期間とを一致させる共に放電維持パルスＩＰｘの立ち上がり期間と放電維持パルスＩＰｙの立ち下がり期間とを一致させることを特徴とするプラズマディスプレイパネルの駆動装置。
【請求項５】
複数の行電極対と、前記行電極に交差して互いに平行に配列された複数の列電極と、を少なくとも備え、前記行電極対に全画素を一斉に初期化するためのリセットパルスを印加するリセット期間と、前記行電極対の一方に走査パルスを印加すると共に前記列電極に画素データパルスを印加して点灯画素及び消灯画素を選択するアドレス期間と、前記行電極対に放電維持パルスを印加して前記点灯画素及び消灯画素を維持する維持放電期間と、を用いて表示を行うプラズマディスプレイパネルの駆動装置であって、
異なる電極に印加される前記行電極駆動パルスの立ち上がり及び／又は立ち下がりエッジのタイミング又は期間を調整するタイミング調整手段を設け、
前記タイミング調整手段は、前記行電極対Ｘ，Ｙに交互に印加される放電維持パルスＩＰｘ，ＩＰｙに対して、放電維持パルスＩＰｘの立ち下がり期間と放電維持パルスＩＰｙの立ち上がり期間、放電維持パルスＩＰｘの立ち上がり期間と放電維持パルスＩＰｙの立ち下がり期間の一部が時間的に重なるように放電維持パルスの印加タイミングを調整することを特徴とするプラズマディスプレイパネルの駆動装置。
【請求項６】
複数の行電極対と、前記行電極に交差して互いに平行に配列された複数の列電極と、を少なくとも備え、前記行電極対に全画素を一斉に初期化するためのリセットパルスを印加するリセット期間と、前記行電極対の一方に走査パルスを印加すると共に前記列電極に画素データパルスを印加して点灯画素及び消灯画素を選択するアドレス期間と、前記行電極対に放電維持パルスを印加して前記点灯画素及び消灯画素を維持する維持放電期間と、を用いて表示を行うプラズマディスプレイパネルの駆動装置であって、
異なる電極に印加される前記行電極駆動パルスの立ち上がり及び／又は立ち下がりエッジのタイミング又は期間を調整するタイミング調整手段を設け、
前記タイミング調整手段は、前記行電極対Ｘ，Ｙに交互に印加される放電維持パルスＩＰｘ，ＩＰｙに対して、一方の放電維持パルスＩＰｘ又はＩＰｙの立ち下がり終了と同時に他方の放電維持パルスＩＰｙ又はＩＰｘが立ち上がるように設定されるか、又は、一方の放電維持パルスＩＰｙ又はＩＰｘの立ち上がり終了と同時に他方の放電維持パルスＩＰｘ又はＩＰｙが立ち下がるように設定されることを特徴とするプラズマディスプレイパネルの駆動装置。
【発明の詳細な説明】
【０００１】
【発明の属する技術分野】
本発明は、マトリクス表示方式の交流（ＡＣ）型のプラズマディスプレイパネル（ＰＤＰ）の駆動装置に関する。
【０００２】
【従来の技術】
近年、表示装置において表示画面の面積を増大させる傾向にある。これに伴って表示装置全体が大型するため、表示装置を薄型とする（厚さを減少させる）対策を講じる必要が生じてきている。このような薄型化を図る対策は、種々考えられ、近時、実際に提供されてもいる。その１つにＡＣＰＤＰ（交流型プラズマディスプレイ）が知られている。
【０００３】
上記ＡＣＰＤＰは、列電極及び列電極と直交し、一対にて１行（１走査ライン）を構成する行電極を備えている。これら列電極及び行電極対各々は放電空問に対して誘電体層で覆われており、列電極及び行電極対の各交点に放電セルが形成されている。
【０００４】
図８は、係るＡＣＰＤＰの従来の各種駆動パルスの印加タイミングを示す図である。この図８において、先ず、負極性のリセットパルスＲＰｘを全ての行電極Ｘ１〜Ｘｎに印加すると同時に、正極性のリセットパルスＲＰｙ  を全ての行電極Ｙ１〜Ｙｎの各々に印加する。係るリセットパルスの印加により、全ての放電セルに放電が生じ、荷電粒子が発生し、放電終了後各放電セルに壁電荷が蓄積形成される（一斉リセット期間）。
【０００５】
次に、各行毎の画素データに対応した画素データパルスＤＰ１  〜ＤＰｎ  を順次、列電極Ｄ１  〜Ｄｍ  に印加する。この画素データパルスＤＰ１  〜ＤＰｎ  各々の印加タイミングに同期して、走査パルス（選択消去パルス）ＳＰを行電極Ｙ１  〜Ｙｎ  へ順次印加して行く。この際、係る画素データパルスＤＰ及び走査パルスＳＰが各々列電極及び行電極に同時に印加された放電セル（消灯画素）にのみ、放電が生じ、上記一斉リセット期間にて形成された壁電荷が消去される。一方、走査パルスＳＰが印加されたものの画素データパルスＤＰが印加されない放電セル（点灯画素）では、上述のような放電は生じないので、上記一斉リセット期間にて形成された壁電荷はそのまま残留する。このように各放電セルの壁電荷は、画素データに応じて選択的に消去され、点灯画素及び消灯画素が選択される（アドレス期間）。
【０００６】
次に、正極性の放電維持パルスＩＰｘを行電極Ｘ１〜Ｘｎの各々に印加するとともに、放電維持パルスＩＰｘの印加タイミングとはずれたタイミングにて正極性の放電維持パルスＩＰｙ  を行電極Ｙ１〜Ｙｎの各々に印加する。このように放電維持パルスＩＰｘ、ＩＰｙ  が交互に行電極対に印加され、壁電荷が残留している放電セル（点灯画素）は放電発光を繰り返す一方で、壁電荷が消滅した放電セル（消灯画素）は放電発光しない（維持放電期間）。
【０００７】
そして、全ての行電極Ｘ１〜Ｘｎに一斉に消去パルスＥＰを印加して全放電セルの壁電荷を消去する（壁電荷消去期間）。以上のように、一斉リセット期間、アドレス期間、維持放電期間、壁電荷消去期間を１つの表示サイクルとして、このサイクルを繰り返し行うことにより、画像表示が行われる。
【０００８】
【発明が解決しようとする課題】
ところで、ＰＤＰを大型化または高精細化していくと行電極の配線長が長くなり、また電極幅が細くなり、行電極自体の配線抵抗が増大する。一方、維持放電期間において、各放電セルに流れる放電電流は放電維持パルスが印加されてから数１００ナノｓｅｃ程度で最大になりその後数１００ナノｓｅｃ程度経過するとほぼ流れなくなる。放電維持パルスのパルス間隔は、数マイクロｓｅｃ程度であるため、維持放電期間において１つの行電極対上の選択された各放電セルがほぼ同時に放電を開始すると、瞬間的に大きな放電電流が流れ、大きな電圧降下が生じ表示特性を悪化させる。また、ＰＤＰは、放電を行わせる駆動電圧の動作範囲が比較的狭く、大型化または高精細化していくと電極形状、誘電体層の厚さ等を正確に制御して製造することが困難であるため個々のパネルによって動作電圧、表示特性が異なってくる。
【０００９】
本発明は、上述した問題を解決するためになされたものであり、表示特性を個々のパネルに合わせて向上させ、また表示特性をパネル毎に適性状態に調整できるプラズマディスプレイパネルの駆動装置を提供することを目的とする。
【００１０】
【課題を解決するための手段】
本発明によるプラズマディスプレイパネルの駆動装置は、複数の行電極対と、前記行電極に交差して互いに平行に配列された複数の列電極と、前記行電極対に行電極駆動パルスを供給する第１駆動手段と、前記列電極に画素データパルスを供給する第２駆動手段を少なくとも備えたプラズマディスプレイパネルの駆動装置、又は、複数の行電極対と、前記行電極に交差して互いに平行に配列された複数の列電極と、を少なくとも備え、前記行電極対に全画素を一斉に初期化するためのリセットパルスを印加するリセット期間と、前記行電極対の一方に走査パルスを印加すると共に前記列電極に画素データパルスを印加して点灯画素及び消灯画素を選択するアドレス期間と、前記行電極対に放電維持パルスを印加して前記点灯画素及び消灯画素を維持する維持放電期間と、を用いて表示を行うプラズマディスプレイパネルの駆動装置であって、異なる電極に印加される前記行電極駆動パルスの立ち上がり及び／又は立ち下がりエッジのタイミング又は期間を調整するタイミング調整手段を設けたことを前提とする。
【００１１】
そして、前記タイミング調整手段は、一つには、前記行電極対Ｘ，Ｙに交互に印加される放電維持パルスＩＰｘ，ＩＰｙに対して、放電維持パルスＩＰｘの立ち下がり期間と放電維持パルスＩＰｙの立ち上がり期間とを一致させる共に放電維持パルスＩＰｘの立ち上がり期間と放電維持パルスＩＰｙの立ち下がり期間とを一致させることを特徴とする。また一つには、前記行電極対Ｘ，Ｙに交互に印加される放電維持パルスＩＰｘ，ＩＰｙに対して、放電維持パルスＩＰｘの立ち下がり期間と放電維持パルスＩＰｙの立ち上がり期間、放電維持パルスＩＰｘの立ち上がり期間と放電維持パルスＩＰｙの立ち下がり期間の一部が時間的に重なるように放電維持パルスの印加タイミングを調整することを特徴とする。また一つには、前記行電極対Ｘ，Ｙに交互に印加される放電維持パルスＩＰｘ，ＩＰｙに対して、一方の放電維持パルスＩＰｘ又はＩＰｙの立ち下がり終了と同時に他方の放電維持パルスＩＰｙ又はＩＰｘが立ち上がるように設定されるか、又は、一方の放電維持パルスＩＰｙ又はＩＰｘの立ち上がり終了と同時に他方の放電維持パルスＩＰｘ又はＩＰｙが立ち下がるように設定されることを特徴とする。
【００１２】
このような特徴によると、個々のプラズマディスプレイパネルに適した立ち上がり及び／又は立ち下がりエッジのタイミング又は期間を有する行電極駆動パルス及び／又は画素データパルスが供給され、プラズマディスプレイパネルの表示特性をパネル毎に適正な状態に調整することができる。また、前述した各タイミング調整手段の特徴によると、一つには、放電維持パルスの印加タイミングを異なる電極間で関連付けて調整することにより、行電極対Ｘ，Ｙに加わる電圧が増大しかつ立ち上がりが急峻となり、結果として、放電発光を強め、輝度を増加させることが可能となる。また一つには、行電極対Ｘ，Ｙに加わる電圧の立ち上がりが緩やかになるため、各放電セルの放電のタイミングが分散し、ピーク電流を抑制することが可能となる。
【００１３】
【発明の実施の形態】
次に、本発明に係るプラズマディスプレイパネルの駆動装置の実施の各形態例について、図面を参照しつつ説明する。
図１は、本発明が適用される３電極構造の反射型ＡＣＰＤＰの構造を示している。先ず、この図１に示したＡＣＰＤＰの構造について、簡単に説明する。このＡＣＰＤＰは、図示のように、放電空間７を介して対向配置された一対のガラス基板２１、２２を備えている。これらガラス基板２１、２２のうちの表示面側のガラス基板２１の内面には、互いに平行に隣接配置された一対の行電極（維持電極）Ｘ、Ｙと、これら行電極Ｘ、Ｙを覆う壁電荷形成用の誘電体層２５と、この誘電体層２５を覆うＭｇＯから成る保護層２６とが、それぞれ設けられている。尚、上記行電極Ｘ、Ｙは、それぞれ幅の広い帯状の透明導電膜から成る透明電極２４と、その導電性を補うために積層された幅の狭い帯状の金属膜から成るバス電極（金属電極）２３とから構成されている。
【００１４】
一方、背面側のガラス基板２２の内面上には、行電極Ｘ、Ｙと交差する方向に設けられ、放電空間２７を区画する障壁３０と、各障壁３０間のガラス基板２２上に行電極Ｘ、Ｙと交差する方向に配列された列電極（アドレス電極）Ｄと、各列電極及び障壁３０の側面を覆う、所定の発光色の蛍光体層２８とが、それぞれ設けられている。上記放電空間２７には、ネオンに少量のキセノンを混台した放電ガスが封入されている。尚、上記の列電極及び行電極対の各交点において放電セル（画素）が形成される。
【００１５】
上述のように構成されるＰＤＰを駆動させるための、本発明の実施の第１の実施形態に係るプラズマディスプレイパネルの駆動装置は、図２に示すように構成されている。すなわち、この図２において、同期分離回路１は、供給された入カビデオ信号中から水平及び垂直同期信号を抽出してこれらをタイミングパルス発生回路２に供給する。タイミングパルス発生回路２は、これら抽出された水平及び垂直同期信号に基づいた抽出同期信号タイミングパルスを発生してこれをＡ／Ｄ変換器３、メモリ制御回路５及び読出タイミング信号発生回路７のそれぞれに供給する。Ａ／Ｄ変換器３は、上記抽出同期信号タイミングパルスに同期して入カビテオ信号を１画素毎に対応したデジタル画素データに変換し、これをフレームメモリ４に供給する。又、メモリ制御回路５は、上記抽出同期信号タイミングパルスに同期した書込信号及び読出信号を上記フレームメモリ４に供給する。
【００１６】
上記フレームメモリ４は、かかる書込信号に応じて、Ａ／Ｄ変換器３から供給された各画素データを順次取り込む。又、フレームメモリ４は、かかる読出信号に応じて、このフレームメモリ４内に記億されている画素データを順次読み出して次段の出力処理回路６へ供給する。上記読出夕イミング信号発生回路７は、放電発光動作を制御するための各種タイミング信号を発生してこれらを行電極駆動パルス発生回路１０及び出力処理回路６のそれぞれに供給する。上記出力処理回路６は、上記読出タイミング信号発生回路７からのタイミング信号に同期させて、上記フレームメモリ４から供給された画素データを画素データパルス発生回路１２に供給する。
【００１７】
上記画素データパルス発生回路１２は、上記出力処理回路６から供給される各画素データに応じた画素データパルスＤＰを発生して上記ＰＤＰ（プラズマディスプレイパネル）１１の列電極Ｄ１  〜Ｄｍ  に印加する。上記行電極駆動パルス発生回路１０は、上記ＰＤＰ１１の全ての行電極対間に強制的に放電を励起せしめて後述する放電空間に荷電粒子を発生させるためのリセットパルスＲＰｘ及びＲＰｙと、上記荷電粒子を再形成させるためのプライミングパルスＰＰと、画素データ書き込みのための走査パルスＳＰと、放電発光を維持するための維持パルスＩＰｘ  、ＩＰｙ  と、壁電荷を消去させるための消去パルスＥＰと、をそれぞれ発生して、これら各パルスを上記読出タイミング信号発生回路７から供給された各種のタイミング信号に応じたタイミングにてＰＤＰ１１の行電極Ｘ１  〜Ｘｎ  及びＹ１  〜Ｙｎ  に印加する。
【００１８】
タイミング調整手段１３は、読出タイミング信号発生回路７から出力される各種タイミング信号の発生タイミングを個々のプラズマディスプレイパネルに応じて工場出荷段階で、手動調整するために設けられている。これにより、リセットパルス、プライミングパルス、走査パルス、放電維持パルスなどの行電極駆動パルス及び／又は画素データパルスの立ち上がりエッジ及び／又は立ち下がりエッジをシフトさせ個々のプラズマディスプレイパネルに適した行電極駆動パルス及び／又は画素データパルスが行電極駆動パルス発生回路１０及び／又は画素データパルス発生回路１２から出力されるように調整される。
【００１９】
図３〜図５は、手動調整手段１３により放電維持パルスの印加タイミングを調整した第１〜第３の駆動波形を示す。
各図に示すように、ＰＤＰ１１は、リセット期間、アドレス期間、維持放電期間及び壁電荷消去期間で構成される１サブフレームを繰り返して表示を行うように構成されている。
【００２０】
リセット期間においては、全画素を一斉に初期化するために全行電極対に一斉に長時定数の第１リセットパルスＲＰｘ１，ＲＰｙが印加され、次いで第２リセットパルスＲＰｘ２が印加される。第１リセットパルスを時定数の長いパルスとすることによりリセット放電を弱めてコントラストを向上させると共に第２リセットパルスの印加により全画素に蓄積される壁電荷量を揃えている。
アドレス期間においては、前記行電極対の一方の行電極Ｙに走査パルス（選択消去パルス）ＳＰを印加すると共に列電極Ｄに画素データパルスＤＰを印加して画素データに応じて選択的に壁電荷を消去して点灯画素（壁電荷が残留している画素）及び消灯画素（壁電荷が消去された画素）を選択する。尚、走査パルスＳＰの直前に放電空間内にプライミング粒子を再形成するためのプライミングパルスＰＰが行電極Ｙに印加される。
【００２１】
維持放電期間においては、行電極対Ｘ，Ｙに交互に放電維持パルスＩＰｘ，ＩＰｙを印加して点灯画素及び消灯画素を維持する、すなわち、点灯画素のみが放電発光を繰り返す。壁電荷消去期間においては、行電極Ｙに消去パルスＥＰが一斉に印加され、全画素の壁電荷が消去される。
【００２２】
図３では、タイミング調整手段１３により、放電維持パルスの印加タイミングが調整され、放電維持パルスＩＰｘの立ち下がり期間ａと放電維持パルスＩＰｙの立ち上がり期間ｃとを一致させると共に放電維持パルスＩＰｘの立ち上がり期間ｂと放電維持パルスＩＰｙの立ち下がり期間ｄとをほぼ一致させている。このように放電維持パルスの印加タイミングを調整することにより、行電極対Ｘ，Ｙに加わる電圧が増大しかつ立ち上がりが急峻となり、結果として放電発光を強め、輝度を増加させることが可能となる。
【００２３】
図３の駆動波形では、放電維持パルスＩＰｘの立ち下がり期間ａ、立ち上がり期間ｂと、放電維持パルスＩＰｙの立ち上がり期間ｃ、立ち下がり期間ｄとを時間的にほぼ一致させるように放電維持パルスの印加タイミングを手動調整した例を示したが、これに代えて放電維持パルスＩＰｘの立ち下がり期間ａと放電維持パルスＩＰｙの立ち上がり期間ｃ、放電維持パルスＩＰｘの立ち上がり期間ｂと放電維持パルスＩＰｙの立ち下がり期間ｄの一部が時間的に重なるように放電維持パルスの印加タイミングを手動調整するようにしても良い。この場合には、行電極対Ｘ，Ｙに加わる電圧の立ち上がりが比較的緩やかになるため、各放電セルの放電のタイミングが分散し、ピーク電流を抑制することが可能となる。
【００２４】
図４では、タイミング調整手段１３により、放電維持パルスの印加タイミングが調整され、一方の放電維持パルス（ＩＰｘ又はＩＰｙ）が立ち下がった直後に（図から明らかなように、立ち下がりの終了と同時に）他方の放電維持パルス（ＩＰｙ又はＩＰｘ）が立ち上がるように設定されている。
【００２５】
図５では、タイミング調整手段１３により、放電維持パルスの印加タイミングが調整され、一方の放電維持パルス（ＩＰｙ又はＩＰｘ）が立ち上がった直後に（図から明らかなように、立ち上がり終了と同時に）他方の放電維持パルス（ＩＰｘ又はＩＰｙ）が立ち下がるように設定されている。
【００２６】
図４及び図５の駆動波形では、行電極対Ｘ，Ｙに加わる電圧の立ち上がりがより一層緩やかになるため、各放電セルの放電のタイミングを分散させ、ピーク電流を抑制する効果がより一層向上する。
【００２７】
図３〜図５では、タイミング調整手段１３により放電維持パルスの印加タイミングを調整した例を示したが、放電維持パルスＳＰの立ち上がりエッジ及び／又は立ち下がりエッジをシフトしてそのパルス幅を適性状態に設定し、あるいは第１リセットパルスＲＰｘ１、ＲＰｙ、第２リセットパルスＲＰｘ２、プライミングパルスＰＰ、走査パルス（選択消去パルス）ＳＰの立ち上がりエッジ及び／又は立ち下がりエッジのタイミングを調整することにより、各パルスの印加タイミング及び／又はパルス幅を適性状態に設定しても個々のプラズマディスプレイパネル毎にアドレスマージンを最適化することが可能となる。
【００２８】
図６は、本発明の第２の実施形態に係るプラズマディスプレイパネルの駆動装置のブロック図を示す。本実施形態においても、タイミング調整手段１３によりリセットパルス、プライミングパルス、走査パルス、放電維持パルスなどの行電極駆動パルス及び／又は画素データパルスの立ち上がりエッジ及び／又は立ち下がりエッジのタイミングを調整する構成は図２の構成と同一であり、同一の構成部分については図２と同一の符号を付し、その説明は省略する。
【００２９】
第２の実施形態に係る駆動装置において、図２に示される第１の実施形態に係る駆動装置との相違点は、タイミング調整装置１３によりリセットパルス、プライミングパルス、走査パルス、画素データパルス及び放電維持パルスの内の少なくとも１のパルスの振幅をも個々のプラズマディスプレイパネル毎に手動調整できるように構成した点である。すなわち、タイミング調整手段１３からの調整信号を電源装置２０，２１に供給し、電源装置２０，２１から行電極駆動パルス発生回路１１及び画素データパルス発生回路１２に供給される電圧値（振幅）を変化させることにより、リセットパルス、プライミングパルス、走査パルス、画素データパルス及び放電維持パルスの電圧値（振幅）が個々のプラズマディスプレイパネル毎に最適化される（図７参照）。
【００３０】
このように、リセット期間、アドレス期間、維持放電期間などにおける行電極Ｘ，Ｙ間の電圧、列電極−行電極間の電圧を調整することにより、輝度、アドレスマージン等が個々のプラズマディスプレイパネル毎に最適化される。
【００３１】
上述の図３〜図５及び図７の駆動波形では、選択消去アドレス法を用いた例を示したがこれに代えて選択書込みアドレス法を用いても良い。この選択書込みアドレス法では、リセット期間において、リセットパルスを全行電極対に印加して放電発光させ一旦全画素に壁電荷を蓄積した後消去パルスを全行電極対に印加して放電発光させ壁電荷を消却するようにして全画素を一斉に初期化し、アドレス期間において、行電極対の一方に走査パルス（選択書込みパルス）を印加すると共に列電極に画素データパルスを印加して画素データに応じて選択的に書込み放電発光させ点灯画素及び消灯画素を選択する。
【００３２】
【発明の効果】
上述した構成を有する本発明のプラズマディスプレイパネルの駆動装置によれば、個々のプラズマディスプレイパネルに適した立ち上がりエッジのタイミング、立ち下がりエッジのタイミング及び振幅を有する行電極駆動パルス及び／又は画素データパルスが供給されるので、表示特性を個々のパネルに合わせて向上させることが可能となり、また表示特性をパネル毎に適性状態に調整でき、製造歩留まりが改善される。また、それに加えて、印加パルスのタイミング調整を異なる電極間で関連付けて行うことによって、結果的に、放電発光を強め、輝度を増加させることが可能となる共に、ピーク電流を抑制することができる。
【図面の簡単な説明】
【図１】本発明の各実施形態におけるプラズマディスプレイパネルの駆動装置で駆動されるＰＤＰの構造を示す図である。
【図２】本発明の第１の実施形態に係るプラズマディスプレイパネルの駆動装置の構成を示す図である。
【図３】各種駆動パルスの印加タイミングの第１の調整例を示す図である。
【図４】各種駆動パルスの印加タイミングの第２の調整例を示す図である。
【図５】各種駆動パルスの印加タイミングの第３の調整例を示す図である。
【図６】本発明の第２の実施形態に係わるプラズマディスプレイパネルの駆動装置の構成を示す図である。
【図７】各種駆動パルスの印加タイミングの第４の調整例を示す図である。
【図８】従来のＰＤＰ駆動装置における各種駆動パルスの印加タイミングを示す図である。
【符号の説明】
１  同期分離回路
２  タイミングパルス発生回路
３  Ａ／Ｄ変換器
４  フレームメモリ
５  メモリ制御回路
６  出力処理回路
７  読出タイミング信号発生回路
１０  行電極駆動パルス発生回路
１１  ＰＤＰ
１２  画素データパルス発生回路
１３  タイミング調整手段
２１、２２  ガラス基板
２３  バス電極
２４  透明電極
２５  誘電体層
２６  保護層
２７  放電空間
２８  蛍光体層
３０  障壁
【図１】
0003633761.tif 000002
【図２】
0003633761.tif 000003
【図３】
0003633761.tif 000004
【図４】
0003633761.tif 000005
【図５】
0003633761.tif 000006
【図６】
0003633761.tif 000007
【図７】
0003633761.tif 000008
【図８】
0003633761.tif 000009